(57)【要約】【課題】正面側および背面側に表示機能を持った携帯通信機におけるＬＣＤユニットの外部荷重による破損を効率的に防止する手段を提供する。【解決手段】表示部を備えた携帯通信機筐体は、フロントケース１、フロントスクリーン２、リアカバー３、リアスクリーン４、メインＬＣＤユニット５、サブＬＣＤユニット６、ＬＣＤフレーム７、プリント基板８から構成され、メインＬＣＤユニット５、サブＬＣＤユニット６、プリント基板８は、ＬＣＤフレーム７に実装されている。リアカバー３とＬＣＤフレーム７に設けられているリブ９、リブ１０のうち、ＬＣＤフレーム７に実装されたサブＬＣＤユニット６の周囲に設けられているリブ１０は、その先端がリアカバー３に設けられているリブ９と当接され、その根元が複数に分割された構成を備えている。【選択図】図１
2008103892.tif 000002
【特許請求の範囲】
【請求項１】
一方の面にメインＬＣＤユニットが実装され、他方の面に前記メインＬＣＤユニットよりも表示面積の小さいサブＬＣＤユニットが実装されたＬＣＤフレームと、該ＬＣＤフレームを固定するとともに前記メインＬＣＤユニットと対向する位置に該メインＬＣＤユニットの画像を表示する第１のスクリーンを有するフロントケースと、該フロントケースと結合されて携帯通信機の筐体を形成するとともに前記サブＬＣＤユニットと対向する位置に該サブＬＣＤユニットからの画像を表示する第２のスクリーンを有するリアカバーを備えた携帯通信機において、
前記ＬＣＤフレームの前記サブＬＣＤユニットが実装されている周囲に、先端が前記リアカバー内面に形成されたリブと当接され、根元が複数に分割された形状を有するリブが形成されていることを特徴とする携帯通信機のＬＣＤ保護構造。
【請求項２】
前記ＬＣＤフレームに形成されたリブには、前記リアカバーに形成されたリブを介して荷重される押圧力を吸収する湾曲部が形成されていることを特徴とする請求項１に記載の携帯通信機のＬＣＤ保護構造。
【請求項３】
前記ＬＣＤフレームに形成されたリブは、前記サブＬＣＤユニット６の周囲を囲む１つのリブとして構成されていることを特徴とする請求項１または２に記載の携帯通信機のＬＣＤ保護構造。
【請求項４】
前記ＬＣＤフレームに形成されたリブは、前記サブＬＣＤユニットの周囲の適宜個所に配置された１つまたは複数のリブによって構成されていることを特徴とする請求項１または２に記載の携帯通信機のＬＣＤ保護構造。
【請求項５】
請求項１〜請求項４のいずれか１項に記載のＬＣＤ保護構造を備えていることを特徴とする携帯電話機。
【請求項６】
折り畳み形携帯電話機として構成されていることを特徴とする請求項５に記載の携帯電話機。
【発明の詳細な説明】
【技術分野】
【０００１】
本発明は、筐体の正面側および背面側にそれぞれ表示機能（ＬＣＤユニット）を持った折り畳み型の携帯電話機等の携帯通信機におけるＬＣＤユニットの保護構造に関し、特に、筐体外部からの荷重によるＬＣＤユニットの破損を防止する技術に関する。
【背景技術】
【０００２】
携帯電話機は音声通信のみならずメール等の文字や各種画像情報の表示を行う比較的大きな表示器（ＬＣＤユニット）を備えるものが多くなってきており、その中でも、折り畳み型の携帯電話機は、携帯性を有しながら大きな画面の表示ができる表示器を備えることが可能なため、携帯電話機の市場で主流となっている。
【０００３】
この折り畳み型の携帯電話機は、折り畳んだ状態では表示画面を見ることができないので、折り畳んだ状態でも最低限の表示情報を確認できる小さな表示器（サブＬＣＤユニット）を、大きな表示器（メインＬＣＤユニット）が表面側に配置されている筐体の背面側に備えたものが多く、そのため、筐体内に固定されているＬＣＤフレームの筐体表面に面する側にメインＬＣＤユニットを実装し、筐体裏面に面する側にサブＬＣＤユニットを実装した構成が採用されている。（特許文献１〜２等参照）。
【０００４】
図４は、筐体正面側に大きな画面の表示ができるメインＬＣＤユニットを備えるとともに、筐体の背面側に表示画面の小さなサブＬＣＤユニットを備えた従来の携帯通信機における表示部の断面構造の一部を示す概略図である。
【０００５】
この携帯通信機の表示部は、フロントケース１、フロントスクリーン２、リアカバー３、リアスクリーン４、メインＬＣＤユニット５、サブＬＣＤユニット６、ＬＣＤフレーム７、プリント基板８から構成されており、フロントスクリーン２は、フロントケース１に貼り付けられ、リアスクリーン４は、リアカバー３に貼り付けられている。また、メインＬＣＤユニット５、サブＬＣＤユニット６、およびプリント基板８は、ＬＣＤフレーム７に実装されている。
【０００６】
一方、これら携帯電話機に代表される携帯通信機は、近年の小型化および薄型化に伴って筐体肉厚の薄肉化や筐体側面の厚みを減らす等の理由により強度が低下しており、この強度不足からＬＣＤの破損が問題となっている。
【０００７】
例えば図４において、この携帯通信機を折り畳んだ状態で所持しているときに、リアケース３側から矢印で示されるような荷重が加わることが多く、この荷重により薄肉化されたリアカバー３が撓み易くなる。この荷重が大きい場合には、リアカバー３およびリアスクリーン４がサブＬＣＤユニット６と接触し、サブＬＣＤユニット６の破損が起こりやすくなるという問題がある。
【０００８】
図５は、このような筐体正面側に大きな画面の表示ができるメインＬＣＤユニットを備えるとともに、筐体の背面側に表示画面の小さなサブＬＣＤユニットを有する携帯通信機における上記問題点を解消するために、従来提案されている表示部の断面構造の一部を示す概略図である。
【０００９】
図５に示す携帯通信機の表示部では、表面および裏面にメインＬＣＤユニット５およびサブＬＣＤユニット６が実装されたＬＣＤフレーム７に対して、その裏面のサブＬＣＤユニット６が実装されている周囲にリブ１０を設け、一方、リアカバー３の裏面にはリブ１０と当接するようにリブ９を設けることにより、リアケース３の外部から矢印で示されるような荷重が加わったとき、リブ１０とリブ９の先端を互いに当接させてリアカバー３の撓みを防ぎ、リアカバー３およびリアスクリーン４とサブＬＣＤユニット６が接触しないようにして、サブＬＣＤユニット６を破損から保護している。
【００１０】
【特許文献１】特開２００３−１１５９１２号公報
【特許文献２】特開２００４−１１２６５９号公報
【発明の開示】
【発明が解決しようとする課題】
【００１１】
図５に示す構造の場合、リアケース３の外部から矢印で示されるような荷重が加わったとき、その荷重は、ＬＣＤフレーム面に対してリブ９,１０を介して垂直に加わるため、たとえば図５に示すように、リアカバー３のリブ９の直上が押圧された場合、その荷重はＬＣＤフレーム７のリブ１０が設けられている領域に直接伝わる。そのため、ＬＣＤフレーム７のリブ１０が設けられている位置に撓みが生じ、この撓みによりメインＬＣＤユニット５の破損が起こりやすくなるという問題がある。
【００１２】
特に折り畳み型の携帯電話などでは、多くの情報が表示できるように正面側のＬＣＤユニット５も大型化しており、そのためこのＬＣＤユニット５を実装するＬＣＤフレーム７も、その表面積が大きなものが用いられるので、折り畳んだ状態でのリアケース側からの荷重に対してより撓みやすくなり、正面側のＬＣＤユニットに破損が起こりやすい傾向はより大きくなる。
【００１３】
この外部からの荷重に対するＬＣＤフレーム７の撓みを抑えるには、ＬＣＤフレーム７に高い剛性を持たせることにより解決することは可能であるが、そのためには、ＬＣＤフレーム７の板厚を厚くする必要があり、携帯通信機のサイズと重量とを増大させる要因となるため、携帯通信機の小型化、軽量化および薄型化を図ることが困難となる。
【００１４】
本発明の目的は、上記問題点に鑑み、正面側および背面側に表示機能を持った携帯通信機の従来の構造に特別な機構の設置による大幅なコストアップ等を招くことなく、またサイズ等の携帯性を損なうことなく、外部荷重によるＬＣＤユニットの破損を効率的に防止することが可能な手段を提供することにある。
【課題を解決するための手段】
【００１５】
本発明は、一方の面にメインＬＣＤユニットが実装され、他方の面に前記メインＬＣＤユニットよりも表示面積の小さいサブＬＣＤユニットが実装されたＬＣＤフレームと、該ＬＣＤフレームを固定するとともに前記メインＬＣＤユニットと対向する位置に該メインＬＣＤユニットの画像を表示する第１のスクリーンを有するフロントケースと、該フロントケースと結合されて携帯通信機の筐体を形成するとともに前記サブＬＣＤユニットと対向する位置に該サブＬＣＤユニットからの画像を表示する第２のスクリーンを有するリアカバーを備える携帯通信機のＬＣＤ保護構造として、前記ＬＣＤフレームの前記サブＬＣＤユニットが実装されている周囲に、先端が前記リアカバー内面に形成されたリブと当接され、根元が複数に分割された形状を有するリブを形成したことを特徴としている。
【００１６】
またその際、前記ＬＣＤフレームに形成されたリブに、前記リアカバーに形成されたリブを介して荷重される押圧力を吸収する湾曲部を形成することにより、外部荷重によるＬＣＤユニットの破損を防止する効果をより高めることができる。
【００１７】
また、前記ＬＣＤフレームに形成されたリブは、前記サブＬＣＤユニットの周囲を囲む１つのリブとして構成する、あるいは前記サブＬＣＤユニットの周囲の、外部からの押圧に対して比較的たわみやすい適宜の個所に配置された１つまたは複数のリブとして構成することができる。
【発明の効果】
【００１８】
本発明によれば、ＬＣＤフレームのサブＬＣＤユニットが実装されている周囲に形成したリブの根元を複数に分割した形状としているので、リアカバー３のリブ９の直上が押圧された場合であっても、その荷重はＬＣＤフレーム７のリブ１０が設けられている領域内で分散されるため、ＬＣＤフレーム７の撓みを減らすことができ、メインＬＣＤユニット５の破損を防ぐことが可能となる。
【００１９】
本発明は、ＬＣＤフレームのサブＬＣＤユニットが実装されている周囲に形成したリブの形状を変更するだけの簡単な構成で、携帯通信機筐体の厚みを増すことなく、また部品点数を増やすことなく、静的あるいは動的な荷重からＬＣＤを保護することが可能となる。
【００２０】
また、ＬＣＤの破壊強度を向上させたことに伴い、より大画面なＬＣＤあるいはガラス厚の薄いＬＣＤを使用することが可能となる。
【発明を実施するための最良の形態】
【００２１】
図１は、本発明の第１の実施形態を示す携帯通信機筐体におけるＬＣＤ保護構造を備えた概略断面図である。
【００２２】
本実施形態における携帯通信機の表示部を備えた筐体の断面構造も、従来例と同様に、フロントケース１、フロントスクリーン２、リアカバー３、リアスクリーン４、メインＬＣＤユニット５、サブＬＣＤユニット６、ＬＣＤフレーム７、プリント基板８を有する構成となっている。フロントスクリーン２は、フロントケース１に貼りつけられており、リアスクリーン４は、リアカバー３に貼りつけられている。メインＬＣＤユニット５、サブＬＣＤユニット６、プリント基板８は、ＬＣＤフレーム７に実装されている。
【００２３】
しかし本実施形態においては、リアカバー３とＬＣＤフレーム７にそれぞれ設けられているリブ９、リブ１０のうち、ＬＣＤフレーム７に実装されたサブＬＣＤユニット６の周囲に設けられているリブ１０は、図１に示されているように、その先端がリアカバー３に設けられているリブ９と当接され、その根元が二つに分かれた断面形状であって、ＬＣＤフレーム面から湾曲状に突出した構成を有している。
【００２４】
ＬＣＤフレーム７上におけるリブ１０の配置形態は、サブＬＣＤユニット６の周囲を囲む１つのリブとして構成する、あるいは、サブＬＣＤユニット６の周囲の外部からの押圧によりたわみやすい適宜の個所に配置した１つあるいは複数のリブからなる構成のいずれであってもよい。
【００２５】
図２は、本実施形態の断面構造を有するリブを用いた場合に、外部から押圧荷重が加わったときの荷重の伝達状態を示している。
【００２６】
本実施形態のＬＣＤフレーム７が用いられた携帯通信機のリアケース３またはリアスクリーン４が押圧された場合、ＬＣＤフレーム７のリブ１０が湾曲した形状となっているために、図２に示すように、この湾曲部が荷重を吸収するほか、リアカバー３のリブ９から伝達してきた荷重が、２方向に分散されるため、従来構造より、メインＬＣＤユニット５への荷重の集中を半分以下に抑えることができ、メインＬＣＤユニット５の破損を防ぐことができる。
【００２７】
また、ＬＣＤフレーム７のリブ１０をフレーム面から突出する湾曲状に形成したことにより、ＬＣＤフレーム７の剛性も上げることができ、よりメインＬＣＤユニット５への負荷を減らすことができるという新たな効果も期待できる。なお、図２では、静的な荷重について説明したが、落下衝撃などの動的な荷重に対しても同様の効果が得られる。
【００２８】
図３は、本発明の第２の実施形態を示す帯通信機における表示部を備えた筐体の概略断面構造図であり、図１と同一番号で示されている構成は、図１と同様の構成を示している。
【００２９】
本実施形態において、ＬＣＤフレーム７に実装されたサブＬＣＤユニット６の周囲に設けられているリブ１０は、図１の場合と同様に、その先端がリアカバー３に設けられているリブ９と当接され、その根元が二つに分割されているが、図１の場合のように湾曲状には形成されていない。
【００３０】
本実施形態の場合、リアカバー３に設けられたリブ９を介して伝達される荷重の吸収効果は第１の実施形態の場合より劣るが、複数に分割された根元により、荷重を分散させる効果が得られるので、第１の実施形態の場合と同様にメインＬＣＤユニット５への荷重の集中を抑えることができ、メインＬＣＤユニット５の破損を防ぐことが可能である。
【００３１】
なお、上記実施例では、リブ１０の根元を２つに分割した場合の構成を示しているが、本発明はこの実施例に限定されるものではなく、根元が２つ以上の複数に分割されたリブ１０を、サブＬＣＤユニット６の周囲に配置することもでき、同様の作用効果を得ることができる。
【００３２】
例えば、リブ１０の根元を３つに分割し、上面から見た場合、Ｔの字あるいはＹの字形状のリブ１０をサブＬＣＤユニット６の周囲に配置する構成、あるいは、リブ１０の根元を４つに分割し、上面から見た場合、十の字形状のリブ１０をサブＬＣＤユニット６の周囲に配置する構成等、リブ１０の根元は任意の数に分割した形状とすることができる。
【図面の簡単な説明】
【００３３】
【図１】本発明の第１の実施形態を示す携帯通信機筐体におけるＬＣＤ保護構造を備えた概略断面図である。
【図２】本実施形態における、外部から押圧荷重が加わったときの荷重の伝達状態を示す図である。
【図３】本発明の第２の実施形態を示す携帯通信機筐体におけるＬＣＤ保護構造を備えた概略断面図である。
【図４】従来の携帯通信機における表示部の断面構造の一部を示す概略図である。
【図５】従来の携帯通信機における表示部の断面構造の一部を示す概略図である。
【符号の説明】
【００３４】
１  フロントケース
２  フロントスクリーン
３  リアカバー
４  リアスクリーン
５  メインＬＣＤユニット
６  サブＬＣＤユニット
７  ＬＣＤフレーム
８  プリント基板
９  リブ
１０  リブ
【図１】
2008103892.tif 000003
【図２】
2008103892.tif 000004
【図３】
2008103892.tif 000005
【図４】
2008103892.tif 000006
【図５】
2008103892.tif 000007